(57)【要約】【課題】破風化粧板の装飾性や意匠性を損なわずに、破風化粧板の上面に降った雨水を、軒下に滴下させることなく、屋根軒先側へと方向変換せしめて軒樋に流入させる。【解決手段】切り妻屋根の端部４を覆って取り付けられる破風化粧板において、屋根端部４の上部を覆う上部被覆面１１に段差部１１ａを介して妻側縁部を高くした堤部１１ｂを設け、軒先側の端部近傍に前記段差部１１ａの下端と連続して上部被覆面１１を横切って屋根軒先側下方へ折れ曲がった傾斜段差部２１を形成し、この傾斜段差部２１に沿って堤部１１ｂと略面一となる庇２２を突設させ、この庇２２で軒下への雨水の落下を防止する。【選択図】図２
2010043467.tif 000002
【特許請求の範囲】
【請求項１】
切り妻屋根の端部（４）を覆って取り付けられる破風化粧板において、
屋根端部（４）の上部を覆う上部被覆面（１１）に、段差部（１１ａ）を介して妻側縁部を高くした堤部（１１ｂ）を設けるとともに、軒先側の端部近傍に前記段差部（１１ａ）下端と連続して上部被覆面（１１）を横切って屋根軒先側下方へ折れ曲がった傾斜段差部（２１）を形成し、この傾斜段差部（２１）に沿って前記堤部（１１ｂ）と略面一となる庇（２２）を突設させた構成を有することを特徴とする破風化粧板。
【請求項２】
段差部（１１ａ）に対する傾斜段差部（２１）の傾斜角度（α）を４５°〜６５°の範囲に設定し、庇（２２）の突出長さ（Ｌ）を傾斜段差部（２１）の段差（Ｈ）よりも長く設定したことを特徴とする請求項１に記載の破風化粧板。
【発明の詳細な説明】
【技術分野】
【０００１】
本発明は、切り妻屋根の端部を覆って取り付けられる破風化粧板に関し、詳しくは切り妻屋根の端部を伝って流れる雨水を軒先に取り付けられた軒樋へと導く段差部を有する破風化粧板に関する。
【背景技術】
【０００２】
建物の装飾性や見栄えを良くするために、塩化ビニル製鋼板を折り曲げて形成した破風化粧板を切り妻屋根の端部に取り付けることがある。この場合に、雨水が破風化粧板の上面を伝って流れ落ち、そのまま軒先側端部から軒下へと滴下し、軒下の地面を窪ませたり、水はねを起こして建物の外壁面を汚したりするという問題があった。
【０００３】
そこで、かかる問題を解決するため、図４及び図５に示されるような、破風化粧板が使用されつつある。すなわち、この破風化粧板は、切り妻屋根の端部を覆って取り付けられる化粧板本体１００の上部被覆面１１１に、段差部１１２を介して妻側縁部が一段高くなった堤部１１３を設け、また、軒先側の端部近傍で段差部１１２の下端と連続して上部被覆面１１１を横切って屋根軒先側下方へ折れ曲がった傾斜段差部１１４を設け、上部被覆面１１１の上面を伝って流れ落ちる雨水を傾斜段差部１１４で屋根軒先側へ案内し、つまり図５中の矢符Ｘで示すように雨水流路を傾斜段差部１１４で方向変換させて、雨水を軒先に取り付けた軒樋２００内へと導くようにしたものである（例えば、特許文献１、２参照）。
【０００４】
【特許文献１】特開２００１−２６２７９８号公報
【特許文献２】特開平７−２７９３２３号公報
【発明の開示】
【発明が解決しようとする課題】
【０００５】
しかしながら、前記従来の破風化粧板は、上部被覆面１１１の上面を伝って流れ落ちる雨水の量が多いときや、流れに勢いがあるときなどは、傾斜段差部１１４に衝突した雨水が方向変換せずに、そのまま傾斜段差部１１４を乗り越えて、図５中の矢符Ｙ方向に飛び跳ねてから軒下へと滴下してしまうことがあった。
この雨水の飛び跳ねを防ぐ手段として、傾斜段差部１１４の段差Ｈを大きくすることが考えられるが、段差Ｈを大きくすればそれだけ破風化粧板が大型化し、特に上部被覆面１１１の先端部分のみが大きくなって不格好となり、装飾性や意匠性が損なわれてしまう。
【０００６】
本発明は、従来技術の有するこのような問題点に鑑み、破風化粧板の装飾性や意匠性を損なわずに、破風化粧板の上面に降った雨水を、軒下に滴下させることなく、屋根軒先側へと方向変換せしめて軒樋に流入させることができるようにすることを課題とする。
【課題を解決するための手段】
【０００７】
前記課題を解決するため本発明は、切り妻屋根の端部４を覆って取り付けられる破風化粧板において、屋根端部４の上部を覆う上部被覆面１１に段差部１１ａを介して妻側縁部を高くした堤部１１ｂを設けるとともに、軒先側の端部近傍に前記段差部１１ａの下端と連続して上部被覆面１１を横切って屋根軒先側下方へ折れ曲がった傾斜段差部２１を形成し、この傾斜段差部２１に沿って前記堤部１１ｂと略面一となる庇２２を突設させた構成を有することを特徴とする。
【０００８】
これによれば、上部被覆面１１を伝い落ちる雨水が軒先側端部に到達すると、傾斜段差部２１に沿って流路が屋根軒先側下方へと方向変換せしめられる。この際、降雨量が多く伝い落ちる雨水に勢いがあると、傾斜段差部２１に衝突して上方へ飛散しようとするが、当該傾斜段差部２１に沿って上部被覆面１１と平行な庇２２が傾斜段差部２１に覆い被さるように突出させてあるため、上方へ飛び散った雨水は庇２２にぶつかって傾斜段差部２１へと跳ね返され、前記方向変換せしめられた流路に沿って屋根軒先側下方へと案内され、雨水が傾斜段差部２１を乗り越えて軒下へと滴下することはない。
【０００９】
前記構成の破風化粧板において、段差部１１ａに対する傾斜段差部２１の傾斜角度αを４５°〜６５°の範囲に設定し、庇２２の突出長さＬを傾斜段差部２１の段差Ｈよりも長く設定することが好ましい。このような庇２２が傾斜段差部２１の上端に設けてあれば、傾斜段差部２１の段差Ｈをそれほど大きくしなくとも雨水の飛び跳ねを効果的に防止することができ、破風化粧板がスマート且つコンパクトな形態となって軒先外観の装飾性や意匠性が向上する。
【発明の効果】
【００１０】
本発明の破風化粧板は、破風化粧板の上面に降って当該上面を伝い落ちる雨水を軒下へと滴下させることなく、屋根軒先側へと案内して軒樋内に確実に流入させることが可能である。しかも破風化粧板がスマートかつコンパクトな形態のものとなり、切り妻屋根端部の軒先外観を見栄えよく綺麗に仕上げることができる。
【発明を実施するための最良の形態】
【００１１】
本発明の好適な一実施形態を図面に基づいて説明する。
図１は本発明の一実施形態の破風化粧板を屋根の端部に取り付けた状態の概略断面図、図２は図１の破風化粧板の軒先側端部部分を斜め上方から見たときの要部拡大図、図３は本発明の他の実施形態における庇構成体の外観図である。
【００１２】
図１に示されるように、本形態の破風化粧板は、切り妻屋根端部４の全体を覆う一枚の化粧板本体１と、その上部被覆面１１の軒先側先端部に固着される庇構成体２からなり、前記屋根端部４に覆い被せた化粧板本体１を支持部材３を用いて取り付けるものである。破風化粧板を構成する化粧板本体１及び庇構成体２と前記支持部材３は、例えば表面を塩化ビニル樹脂で覆うなどの耐蝕加工が施された被覆鋼板や、亜鉛鋼板などの耐蝕・耐火性を有する長尺の鋼板をベンダー等で折り曲げて形成することができる。
【００１３】
化粧板本体１は、屋根端部４の上部を覆う上部被覆面１１と、側部を覆う側部被覆面１２と、下部を覆う下部被覆面１３とを有し、屋根端部４の上部、側部及び下部を一体的に被覆し得る大きさで断面略コ字状に形成されている。
【００１４】
より詳しくは、上部被覆面１１の屋根側縁部には、屋根５の端部上面に敷設した水切り板６の鉤止部６１に係止される係止部１１ｄが屈曲形成してあり、これと反対側の妻側縁部には、段差部１１ａを介して妻側縁部を一段高くし、且つ棟側近傍から軒先に亘って帯状に連続して伸びた堤部１１ｂを形成してある。堤部１１ｂの幅は、上部被覆面１１の一段低い部分よりも細幅に設定してある。
また、図２に示されるように、前記一段低い上部被覆面１１上面の軒先側端部近傍には、断面略Ｌ字状に屈曲した庇構成体２が一体に固着してある。この庇構成体２は、傾斜段差部２１と庇２２からなり、傾斜段差部２１を前記段差部１１ａと連続し且つ上部被覆面１１の上面を横切って屋根軒先側へ下り勾配で傾斜するように配置し、庇２２が堤部１１ｂの上面と略面一となって前記一段低い上部被覆面１１の上方へ突出し、当該部分の軒先側端部に覆い被さるように設置してある。
そして、上部被覆面１１の上面を棟側から軒先に向かって流れ落ちる雨水が軒先側端部に到達すると、庇構成体２の傾斜段差部２１に沿って屋根軒先側下方へと雨水の流路が方向変換せしめられ、屋根の軒先に沿って取り付けられた軒樋（図示せず）へと流入するように設けてある。また、降雨量が多く、上部被覆面１１の上面に沿って雨水が勢い良く流れ落ちる場合に、前記傾斜段差部２１に衝突して上方へ飛散しようとする雨水を庇２２に衝突させて傾斜段差部２１側へ跳ね返し、前記方向変換せしめられた流路に沿って屋根軒先側下方へと案内し、雨水が庇構成体２を乗り越えて軒下へと滴下することを防止するように設けてある。
【００１５】
なお、前記段差部１１ａに対する傾斜段差部２１の傾斜角度αは４５°〜６５°の範囲で設定するのが好ましく、庇２２の突出長さＬを傾斜段差部２１の段差Ｈより長くするのが好ましい。このようにすると、傾斜段差部２１の段差Ｈをそれほど大きくしなくとも雨水の飛び跳ねを効果的に防止することが可能であり、化粧板本体１の軒先側端部をスマート且つコンパクトな形態の外観のものに納めることができる。本発明者が前記構成の破風化粧板を用いて行った散水試験で雨水の流れを観測したところ、前記傾斜角度αが４５°以下になると、軒先側の堤部１１ｂの面積が広くなるため、この部分に降った雨水が軒下に滴下することになり、逆に６５°よりも大きくなると傾斜段差部２１に衝突した雨水がスムースに流れなくなることが確認されている。
【００１６】
また、化粧板本体１の側部被覆面１２の略中央には、その長手方向に連続して伸び且つ軒先側へ向かって開口した凹溝１２１が設けてある。このような凹溝１２１を側部被覆面１２に設けてあれば、凹溝１２１がアクセントとなって化粧板本体１の装飾性が向上するだけでなく、凹溝１２１にビスや釘などの固着具Ｎを打ち込むことにより化粧板本体１を屋根端部４に強固に固定することができ、また、固着具Ｎが凹溝１２１内に埋没するため、固着具Ｎが外側から目につくことはない。
また、下部被覆面１３には、側部被覆面１２の下端から建屋側へ折れ曲がる水平部１３１が形成され、その先端部には上方へ折れ曲がる立ち上り部１３２を介して水平方向へ突出する連結部１３３が設けてある。さらに、この連結部１３３の端部には上方へ立ち上がる垂直部１４が設けてある。このように水平部１３１の奥側に垂直の立ち上り部１３を設けることで、側部被覆面１２を伝って流れ落ちる雨水や水滴が水平部１３１より奥側へ回り込むことを防止することができる。
【００１７】
支持部材３は、建屋側壁に固定される垂直片３１とその下端から軒先側に折れ曲がる水平片３２とで断面略Ｌ字状に形成されている。前記水平片３２の先端側には上方へ立ち上がってから水平方向に突出した連結部３３が形成されており、この連結部３３に化粧板本体１の連結部１３３を重ね合わせ、重ね合わせ部分をドリルネジなどの固着具Ｎで締結して、化粧板本体１を一体に接続できるようになっている。
すなわち、支持部材３と化粧板本体１の取り付け位置を、連結部３３と連結部１３３とを重ね合わせて位置合わせができるため、建屋側壁を覆うサイデングなどの外壁材７の厚みに拘わらず、固着具Ｎによる接続が可能となり、また、化粧板本体１の垂直部１４の上端が屋根端部４の下部に当接する位置まで立ち上げてあれば、連結部１３３に支持部材３の連結部３３を重ね合わせてドリルネジなどの固着具Ｎで締結する際、固着具Ｎで連結部１３３が押し上げられて凹んだり、変形したりすることがなく、固着具Ｎによる締結を簡単かつ確実に行うことができる。なお、支持部材３の水平片３２と外壁材７の上端部との間の間隙には、パテなどのコーキング材Ｇを充填して水密性を確保することができる。また、施工後に外壁材７を取替える必要が生じた場合でも、化粧板本体１や支持部材３を取り外さなくても外壁材７を取替えることが可能である。
【００１８】
図３は庇構成体の他の実施形態を示しており、この庇形成部材２Ａは、傾斜段差部２１の下端から庇２２と平行に水平片２３を突設して断面略コ字状に屈曲形成するとともに、庇２２の先端に斜め上方へ傾斜するガイド片２２ａを突設したものである。
この庇構成体２Ａは、水平片２３が、前記一段低い上部被覆面１１の上面に接着固定され、堤部１１ｂの上面とほぼ面一となる庇２２の先端からガイド片２２ａを斜め上方に突出させて取り付けられ、上部被覆面１１の上面を伝って流れ落ちる雨水の飛び跳ねをより確実に防止して屋根軒先側下方へ導くことが可能である。
【００１９】
なお、図示した形態は一例であり、本発明はこれらに限定されるものではない。化粧板本体１に対する庇構成体２の固定は接着等の適宜な固定手段を用いて行うことができる。化粧板本体１と庇構成体２を別体とせずに、一体に設けてもよい。本発明の破風化粧板は、家屋の外観デザインに応じた屋根端部の形状や大きさなどに応じて適宜な形態に構成し、取り付けることが可能である。
【図面の簡単な説明】
【００２０】
【図１】本発明の一実施形態の破風化粧板を屋根の側端部に取り付けた状態の概略断面図である。
【図２】図１の破風化粧板の軒先側端部部分を斜め上方から見たときの要部拡大図である。
【図３】本発明の他の実施形態における庇構成体の外観図である。
【図４】上面に段差部を備えた従来の破風化粧板を取り付けた屋根端部の外観図である。
【図５】図４の破風化粧板の軒先側端部部分を斜め上方から見たときの要部拡大図である。
【符号の説明】
【００２１】
１  化粧板本体、１１  上部被覆面、１１ａ  段差部、１１ｂ  堤部、１２  側部被覆面、１２１  凹溝、１３  下部被覆面、１３１  水平部、１３２  立ち上り部、１３３  連結部、１４  垂直部、２  庇構成体、２１  傾斜段差部、２２  庇、３  支持部材、３１  垂直片、３２  水平片、３３  連結部、４  屋根端部、５  屋根、６  水切り板、７  外壁材、Ｎ  固着具、Ｇ  コーキング材
【図１】
2010043467.tif 000003
【図２】
2010043467.tif 000004
【図３】
2010043467.tif 000005
【図４】
2010043467.tif 000006
【図５】
2010043467.tif 000007